(57)【特許請求の範囲】
【請求項１】
ケーシング（12）と、該ケーシング（12）の側面部に配置されて該側面部に沿って延び、且つケーシング（12）の外部に露出した熱交換器本体（35,36）を備え、該熱交換器本体（35,36）が平面視において中央部がケーシング（12）の外側に位置する頂部（39）を有して形成され、該熱交換器本体（35,36）の外側からケーシング（12）の内部に空気が流入されるように構成された室外機であって、
上記ケーシング（12）の上方に配置され、且つ該ケーシング（12）内の空気を外部に吹き出す送風ファン（17）と、
上記ケーシング（12）の上記熱交換器本体（35,36）の下方に形成され、且つ熱交換器本体（35,36）の側面よりも内側に凹んだ本体凹部（41,42）とを備え、
上記熱交換器本体（35,36）は、ケーシング（12）の両側面部に配置され、且つ上記ケーシング（12）の両側面部に沿って延びる第１熱交換器本体（35）および第２熱交換器本体（36）を備え、上記第１熱交換器本体（35）および第２熱交換器本体（36）が平面視において中央部がケーシング（12）の外側に位置する鈍角の頂部（39）を形成するようにケーシング（12）の外側方向に拡がる直線状の第１熱交換部（37）と第２熱交換部（38）とを備える一方、
上記本体凹部（41,42）は、ケーシング（12）の底部材（60）から上記熱交換器本体（35,36）が載置される補強部材（25）に亘って形成されるとともに、上記ケーシング（12）の正面または背面に開口して空気が流れる空間を形成し、
上記本体凹部（41,42）は、上記第１熱交換器本体（35）の側面よりも内側に凹んだ第１本体凹部（41）と上記第２熱交換器本体（36）の側面よりも内側に凹んだ第２本体凹部（42）とを備え、
上記第１本体凹部（41）および第２本体凹部（42）は、上記第１熱交換部（37）の側面よりも内側に凹んだ第１凹部（43）と上記第２熱交換部（38）の側面よりも内側に凹んだ第２凹部（44）とを備え、
上記第１凹部（43）が形成する空間と上記第２凹部（44）が形成する空間とを連通させる空気連通部（45）を備えている
ことを特徴とする室外機。
【請求項２】
請求項１において、
上記ケーシング（12）は、上記第１本体凹部（41）と上記第２本体凹部（42）の内側に構成機器が配置される機械室（29）を備えている
ことを特徴とする室外機。
【請求項３】
請求項１または２において、
上記補強部材（25）は、上記第１熱交換器本体（35）および第２熱交換器本体（36）に沿って延びて該各熱交換部（37,37,38,38）を下側から支えると共に、該各熱交換部（37,37,38,38）のドレン水が流れるように構成されている
ことを特徴とする室外機。
【請求項４】
請求項１〜３の何れか１つにおいて、
上記第１熱交換部（37）と第２熱交換部（38）は、それぞれ異なる冷媒回路に接続されて独立して動作可能に構成されている
ことを特徴とする室外機。
【請求項５】
請求項１〜４の何れか１つに記載された室外機（11）を備えている
ことを特徴とする冷凍装置。
【発明の詳細な説明】
【技術分野】
【０００１】
本発明は、室外機及び該室外機を備えた冷凍装置に関し、特に、外部空気の取り込み構造に係るものである。
【背景技術】
【０００２】
従来、冷凍装置には、特許文献１に示すように、建物の屋上に配設される大型のヒートポンプチラーが知られている。このヒートポンプチラーの室外機は、平面視で略六角形状に形成され、且つ相対向する両側に空気吸込口を有するケーシングと、上記空気吸込口に配置される複数の平板状の熱交換器と、上記ケーシングの上面に形成された空気吹出口の内部に配置された送風ファンとを備えている。
【先行技術文献】
【特許文献】
【０００３】
【特許文献１】特開２０１０−２１６７９８号公報
【発明の概要】
【発明が解決しようとする課題】
【０００４】
ところで、上述した特許文献１に係るヒートポンプチラーでは、例えば３台の室外機を並べて設置され、隣り合う室外機の間の隙間から空気が取り込まれる。
【０００５】
しかしながら、ケーシングの下方は、上方に配置された送風ファンと離れているため、空気が流れにくくなる。このため、ケーシングの下方の熱交換性能が低下するという問題があった。
【０００６】
本発明は、斯かる点に鑑みてなされたものであり、平面視で略六角形状に配置される熱交換器を有する室外機において、熱交換効率を向上させることを目的とする。
【課題を解決するための手段】
【０００７】
第１の発明は、ケーシング（12）と、該ケーシング（12）の側面部に配置されて該側面部に沿って延び、且つケーシング（12）の外部に露出した熱交換器本体（35,36）を備え、該熱交換器本体（35,36）が平面視において中央部がケーシング（12）の外側に位置する頂部（39）を有して形成され、該熱交換器本体（35,36）の外側からケーシング（12）の内部に空気が流入されるように構成された室外機であって、上記ケーシング（12）の上方に配置され、且つ該ケーシング（12）内の空気を外部に吹き出す送風ファン（17）と、上記ケーシング（12）の上記熱交換器本体（35,36）の下方に形成され、且つ熱交換器本体（35,36）の側面よりも内側に凹んだ本体凹部（41,42）とを備えている。
【０００８】
上記熱交換器本体（35,36）は、ケーシング（12）の両側面部に配置され、且つ上記ケーシング（12）の両側面部に沿って延びる第１熱交換器本体（35）および第２熱交換器本体（36）を備え、上記第１熱交換器本体（35）および第２熱交換器本体（36）が平面視において中央部がケーシング（12）の外側に位置する鈍角の頂部（39）を形成するようにケーシング（12）の外側方向に拡がる直線状の第１熱交換部（37）と第２熱交換部（38）とを備えている。
【０００９】
一方、上記本体凹部（41,42）は、ケーシング（12）の底部材（60）から上記熱交換器本体（35,36）が載置される補強部材（25）に亘って形成されるとともに、上記ケーシング（12）の正面または背面に開口して空気が流れる空間を形成し、上記本体凹部（41,42）は、上記第１熱交換器本体（35）の側面よりも内側に凹んだ第１本体凹部（41）と上記第２熱交換器本体（36）の側面よりも内側に凹んだ第２本体凹部（42）とを備えている。上記第１本体凹部（41）および第２本体凹部（42）は、上記第１熱交換部（37）の側面よりも内側に凹んだ第１凹部（43）と上記第２熱交換部（38）の側面よりも内側に凹んだ第２凹部（44）とを備え、上記第１凹部（43）が形成する空間と上記第２凹部（44）が形成する空間とを連通させる空気連通部（45）を備えている。
【００１０】
上記第１の発明では、ケーシング（12）の側面部に熱交換器本体（35,36）が配置されている。熱交換器本体（35,36）は、ケーシング（12）の側面部に沿って延び、且つケーシング（12）の外部に露出している。熱交換器本体（35,36）は、平面視において、中央部がケーシング（12）の外側に位置する頂部（39）を有している。ケーシング（12）の外部の空気は、熱交換器本体（35,36）の外側から、該熱交換器本体（35,36）を通過してケーシング（12）の内部に流れ込む。ケーシング（12）の内部に流れ込む空気は、熱交換器本体（35,36）を通過する際に熱交換される。
【００１１】
一方、熱交換器本体（35,36）の下方にはケーシング（12）の側面に、熱交換器本体（35,36）の側面よりも内側に凹んだ本体凹部（41,42）が設けられている。この本体凹部（41,42）によって形成された空間には外部の空気が流れる。
【００１２】
本体凹部（41,42）を流れる空気は、熱交換器本体（35,36）の下方から、該熱交換器本体（35,36）の外側に導かれる。そして、熱交換器本体（35,36）の外側からケーシング（12）の内部に流れる。そして、ケーシング（12）の内部に流れ込む空気は、熱交換器本体（35,36）を通過する際に熱交換される。
【００１３】
また、上記ケーシング（12）の外部の空気は、第１熱交換器本体（35）および第２熱交換器本体（36）の外側からそれぞれの第１熱交換部（37）および第２熱交換部（38）を通過してケーシング（12）の内部に流れる。ケーシング（12）の内部に流れ込む空気は、第１熱交換部（37）および第２熱交換部（38）を通過する際に熱交換される。
【００１４】
一方、第１熱交換器本体（35）および第２熱交換器本体（36）の下方には、第１熱交換器本体（35）および第２熱交換器本体（36）の側面よりも内側に凹んだ第１本体凹部（41）および第２本体凹部（42）とが設けられている。この第１本体凹部（41）および第２本体凹部（42）には、それぞれにケーシング（12）の外部の空気が流れる。
【００１５】
第１本体凹部（41）を流れる空気は、第１熱交換器本体（35）の下方から、該第１熱交換器本体（35）の外側に導かれる。そして、第１熱交換器本体（35）の外側から第１熱交換部（37）および第２熱交換部（38）を通過してケーシング（12）の内部に流れる。そして、ケーシング（12）の内部に流れ込む空気は、第１熱交換部（37）および第２熱交換部（38）を通過する際に熱交換される。第２本体凹部（42）を流れる空気は、第２熱交換器本体（36）の下方から、該第２熱交換器本体（36）の外側に導かれる。そして、第２熱交換器本体（36）の外側から第１熱交換部（37）および第２熱交換部（38）を通過してケーシング（12）の内部に流れる。そして、ケーシング（12）の内部に流れ込む空気は、第１熱交換部（37）および第２熱交換部（38）を通過する際に熱交換される。
【００１６】
また、上記第１熱交換器本体（35）の下方の第１本体凹部（41）は、第１凹部（43）および第２凹部（44）で構成されている。また、第２熱交換器本体（36）の下方の第２本体凹部（42）は、第１凹部（43）および第２凹部（44）で構成されている。
【００１７】
第１凹部（43）には、ケーシング（12）の外部と繋がっており、該外部の空気が流れる。第１凹部（43）を流れる空気は、下方から第１熱交換部（37）の外側に導かれ、第１熱交換部（37）を通過する際に熱交換されてケーシング（12）の内部に流れ込む。
【００１８】
第２凹部（44）には、ケーシング（12）の外部と繋がっており、該外部の空気が流れる。第２凹部（44）を流れる空気は、下方から第２熱交換部（38）の外側に導かれ、第２熱交換部（38）を通過する際に熱交換されてケーシング（12）の内部に流れ込む。
【００１９】
ここで、空気連通部（45）は、第１凹部（43）が形成する空間と第２凹部（44）が形成する空間とを連通させている。このため、第１凹部（43）を流れる空気と、第２凹部（44）を流れる空気は、互いの空間を行き来することができる。すなわち、第１凹部（43）を流れる空気は第２凹部（44）に流れる一方、第２凹部（44）を流れる空気は第１凹部（43）に流れる。これにより、第１熱交換器本体（35）および第２熱交換器本体（36）の下方を流れる空気量を増加させることができる。
【００２０】
第２の発明は、上記第１の発明において、上記ケーシング（12）は、上記第１本体凹部（41）と上記第２本体凹部（42）の内側に構成機器が配置される機械室（29）を備えている。
【００２１】
上記第２の発明では、ケーシング（12）の第１本体凹部（41）と第２本体凹部（42）の内側に構成機器が配置される機械室（29）が形成されている。こうすることで、第１本体凹部（41）および第２本体凹部（42）から機械室（29）内の構成機器をメンテナンスするように構成することができる。
【００２２】
第３の発明は、上記第１または第２の発明において、上記補強部材（25）は、上記第１熱交換器本体（35）および第２熱交換器本体（36）に沿って延びて該各熱交換部（37,37,38,38）を下側から支えると共に、該各熱交換部（37,37,38,38）のドレン水が流れるように構成されている。
【００２３】
上記第３の発明では、補強部材（25）は第１熱交換器本体（35）又は第２熱交換器本体（36）に沿ってケーシング（12）に設けられている。そして、補強部材（25）は各熱交換部（37,37,38,38）を下方から支持すると共に、ドレン水が流れるように構成されている。こうすることで、補強部材（25）は、各熱交換部（37,37,38,38）の補強機能とドレンパンの機能とを兼ね備えた部材となる。
【００２４】
第４の発明は、上記第１〜第３の発明の何れか１つにおいて、上記第１熱交換部（37）と第２熱交換部（38）は、それぞれ異なる冷媒回路に接続されて独立して動作可能に構成されている。
【００２５】
上記第４の発明では、第１熱交換部（37）と第２熱交換部（38）とがそれぞれ異なる冷媒回路に接続され、それぞれが独立して動作可能となっている。こうすることで、第１熱交換部（37）のみが動作する場合は、第２凹部（44）から第１凹部（43）へ空気を流すことができる。このため、動作対象の第１熱交換部（37）を流れる空気流量を増加させることができる。また、第２熱交換部（38）のみが動作する場合は、第１凹部（43）から第２凹部（44）へ空気を流すことができる。このため、動作対象の第２熱交換部（38）を流れる空気流量を増加させることができる。
【００２６】
第５の発明は、上記第１〜第４の発明の何れか１つの発明に係る室外機（11）を備えている。
【００２７】
上記第５の発明に係る冷凍装置では、室外機（11）を備えている。
【発明の効果】
【００２８】
第１の発明によれば、本体凹部（41,42）を設けたため、熱交換器本体（35,36）の外側を流れる空気に加え、下方から熱交換器本体（35,36）の外側に空気を導くことができる。このため、熱交換器本体（35,36）を通過する空気の流量を増加させることができる。これにより、熱交換器本体（35,36）の熱交換効率を向上させることができる。この結果、平面視で略六角形状に配置される熱交換器を有する室外機において、熱交換効率を向上させることができる。
【００２９】
また、上記第１本体凹部（41）および第２本体凹部（42）を設けたため、第１および第２熱交換器本体（35,36）の外側を流れる空気に加え、下方から第１熱交換器本体（35）および第２熱交換器本体（36）の外側に空気を導くことができる。このため、第１熱交換部（37）および第２熱交換部（38）を通過する空気の流量を増加させることができる。これにより、第１熱交換部（37）および第２熱交換部（38）の熱交換効率を向上させることができる。この結果、平面視で略六角形状に配置される熱交換器を有する室外機において、熱交換効率を向上させることができる。
【００３０】
また、上記空気連通部（45）を設けて第１凹部（43）が形成する空間と第２凹部（44）が形成する空間とを連通させるようにしたため、第１凹部（43）を流れる空気を第２凹部（44）へ供給する一方、第２凹部（44）を流れる空気を第１凹部（43）へ供給することができる。これにより、第１凹部（43）から第２凹部（44）にかけて流れる空気の流量を増加させることができる。つまり、第１熱交換器本体（35）および第２熱交換器本体（36）の下方は送風ファン（17）から遠くなるため空気の流れが悪くなる。ところが、本発明では、空気連通部（45）によって第１凹部（43）と第２凹部（44）の間を流れる空気流量を増加させることができるため、第１熱交換器本体（35）および第２熱交換器本体（36）の下方の空気流量を増加させることができる。これにより、第１熱交換部（37）および第２熱交換部（38）の熱交換効率を向上させることができる。この結果、平面視で略六角形状に配置される熱交換器を有する室外機において、熱交換効率を向上させることができる。
【００３１】
第２の発明によれば、第１本体凹部（41）と第２本体凹部（42）の内側に機械室（29）を設けたため、第１本体凹部（41）および第２本体凹部（42）から機械室（29）内の構成機器をメンテナンスするように構成することができる。
【００３２】
第３の発明によれば、ドレン水が流れるように構成された補強部材（25）を第１熱交換器本体（35）又は第２熱交換器本体（36）に沿って設けると共に、下方から該第１熱交換部（37）又は第２熱交換部（38）を支持するようにしたため、１つの部材でもって第１熱交換器本体（35）又は第２熱交換器本体（36）を補強することができると同時に第１熱交換部（37）又は第２熱交換部（38）から発生するドレン水を処理することができる。
【００３３】
第４の発明によれば、第１熱交換部（37）と第２熱交換部（38）とがそれぞれに独立して動作するようにしたため、第１熱交換部（37）のみが動作する場合は、第２凹部（44）から第１凹部（43）へ供給される空気を第１熱交換部（37）へ導くことができる。このため、動作する第１熱交換部（37）を流れる空気の流量を増加させることができる。また、第２熱交換部（38）のみが動作する場合は、第１凹部（43）から第２凹部（44）へ供給される空気を第２熱交換部（38）へ導くことができる。このため、動作する第２熱交換部（38）を流れる空気の流量を増加させることができる。
【図面の簡単な説明】
【００３４】
【図１】図１は、実施形態に係るチラー装置を示す概略の斜視図である。
【図２】図２は、実施形態に係るヒートポンプチラーの室外機を一側面側から視た斜視図である。
【図３】図３は、実施形態に係るヒートポンプチラーの室外機を他側面側から視た斜視図である。
【図４】図４は、実施形態に係るヒートポンプチラーの室外機を示す正面図である。
【図５】図５は、実施形態に係るヒートポンプチラーの室外機を示す背面図である。
【図６】図６は、実施形態に係るヒートポンプチラーの室外機を示す左側面図である。
【図７】図７は、実施形態に係るヒートポンプチラーの室外機を示す右側面図である。
【図８】図８は、実施形態に係るヒートポンプチラーの室外機を示す上面図である。
【図９】図９は、実施形態に係るヒートポンプチラーの室外機を示す底面図である。
【図１０】図１０は、実施形態に係るヒートポンプチラーの室外機を示す縦断面図である。
【図１１】図１１は、実施形態に係る底部材の構造を示す斜視図である。
【図１２】図１２は、実施形態に係る第１底フレームの構造を示す斜視図である。
【図１３】図１３は、実施形態に係る第２底フレームの構造を示す斜視図である。
【図１４】図１４は、実施形態に係るヒートポンプチラーの室外機の空気流れを一側面側から視た斜視図である。
【図１５】図１５は、実施形態に係るヒートポンプチラーの室外機の空気流れを他側面側から視た斜視図である。
【図１６】図１６は、実施形態に係るチラー装置の空気流れを示す概略の斜視図である。
【図１７】図１７は、実施形態に係るチラー装置の空気の流れを示す上面図である。
【図１８】図１８は、実施形態に係るチラー装置の一系統運転時における空気の流れを示す概略の斜視図である。
【図１９】図１９は、従来例に係る室外機における高さと風量との関係を示すグラフである。
【図２０】図２０は、実施形態に係る室外機における高さと風量との関係を示すグラフである。
【図２１】図２１は、実施形態の変形例に係る第２底フレームの構造を示す斜視図である。
【発明を実施するための形態】
【００３５】
以下、本発明の実施形態を図面に基づいて詳細に説明する。
【００３６】
本実施形態の冷凍装置は、図１に示すように、チラー装置（10）を構成している。このチラー装置（10）は、ビル等の建物の屋上に設置されて該建物内に供給される空調用水を冷却又は加熱するためのヒートポンプチラーの室外機（11）を備えている。チラー装置（10）は、例示として、壁（1）際に３台の室外機（11）が幅方向に並列に配置されている。
【００３７】
図２〜図９に示すように、上記各室外機（11）は、それぞれが冷媒回路（図示なし）を有するケーシング（12）を備えている。
【００３８】
上記ケーシング（12）は、上端に形成されたファンケーシング（13）と、下端に形成された底部材（60）と、ファンケーシング（13）と底部材（60）との間に設けられる本体部（20）とを備えている。尚、図１〜図９では、概略の底部材（60）を示し、詳細な構造は後述する。
【００３９】
上記ファンケーシング（13）は、図１０に示すように、その内部に送風ファン（17）を収容し、ケーシング（12）の上端部に配置されている。
【００４０】
上記ファンケーシング（13）は、平面視で略長方形状のやや薄型の箱体に形成され、ケーシング（12）の上端部に設けられている。ファンケーシング（13）は、図示はしないが、下端の本体部（20）に対応する部分が開口している。また、ファンケーシング（13）の上端面には、長手方向に沿って４つの空気の吹出口（14,14,14,14）が並んで形成されている。各吹出口（14）には、その開口面を覆うようにファンガードが取り付けられている。ファンガードは、送風ファン（17）の保護網である。また、ファンケーシング（13）の内部には、各吹出口（14）に対応した送風ファン（17）が４つ設けられ、各送風ファン（17）の周囲にはベルマウス（16）が設けられている。
【００４１】
ファンケーシング（13）は、その両側面（15a,15b）が後述する本体部（20）の最外部と対応する位置まで外側に拡がって形成されている。具体的には、ファンケーシング（13）の一の側面（15a）は、平面視において第１熱交換器本体（35）の中央部でケーシング（12）の外側に位置する鈍角の頂部（39）の位置まで張り出して形成され、且つケーシング（12）の長手方向に直線状に延びて形成されている。そして、ファンケーシング（13）のうち、平面視において第１熱交換器本体（35）の外側に張り出した部分は第１庇部（13a）を構成している。
【００４２】
一方、ファンケーシング（13）の他の側面（15b）は、平面視において第２熱交換器本体（36）の中央部でケーシング（12）の外側に位置する鈍角の頂部（39）の位置まで張り出して形成され、且つケーシング（12）の長手方向に直線状に延びて形成されている。そして、ファンケーシング（13）のうち、平面視において第２熱交換器本体（36）の外側に張り出した部分は第２庇部（13b）を構成している。
【００４３】
この第１庇部（13a）および第２庇部（13b）によって吹出口（14）からケーシング（12）の上方へ吹き出された空気がファンケーシング（13）よりも下方に流れて空気熱交換器（37,37,38,38）に流入する、いわゆるショートサーキットを阻止することができる。
【００４４】
上記送風ファン（17）は、軸流送風機（例えばプロペラファン）に構成されている。上記送風ファン（17）は、４箇所の吹出口（14）にそれぞれ対応して４つ設けられ、外部からケーシング（12）内へ空気を吸い込むと共に、該空気をファンケーシング（13）および吹出口（14）を介して外部へ吹き出すよう構成されている。上記ベルマウス（16）は、略円筒状に形成され、送風ファン（17）の周囲を囲むようにファンケーシング（13）内に設けられている。
【００４５】
上記底部材（60）は、図１１に示すように、ケーシング（12）の下端部に配置され、後述する圧縮機（50）や水熱交換器（51）を載せる部材である。底部材（60）は、第１底フレーム（61）と第２底フレーム（62）が連結されて構成されている。この第１底フレーム（61）および第２底フレーム（62）は、共に、共通する部材である本体フレーム（63）が用いられて形成される。
【００４６】
上記第１底フレーム（61）は、図１２に示すように、本体フレーム（63）と、分割板（65）と、２枚の圧縮機取付板（68,68）と、配線カバー（67,67）と、３つの支柱取付金具（66）とを備えている。
【００４７】
上記本体フレーム（63）は、平面視で略長方形状の薄型の枠体に形成されている。本体フレーム（63）は、幅方向に２列に並んだ溝部（64,64）が設けられている。この溝部（64,64）は、本体フレーム（63）の長手方向に延びて形成されている。
【００４８】
上記圧縮機取付板（68）は、略長方形状の板部材に形成されている。各圧縮機取付板（68）は、それぞれに対応する溝部（64）を覆うように本体フレーム（63）に取り付けられている。一枚の圧縮機取付板（68）には、後述する圧縮機（50）が３台載せられる。圧縮機取付板（68）が溝部（64）を塞ぐことで、外部の空気が第１および第２熱交換器本体（35,36）を通過することなく、底部材（60）を通過してケーシング（12）内に取り込まれるのを防止している。
【００４９】
上記分割板（65）は、略長方形状の板部材に形成され、第１底フレーム（61）の本体フレーム（63）の他端側に設けられている。分割板（65）は、本体フレーム（63）の幅方向の略中央から外方に向かって延びるように配置されている。
【００５０】
上記配線カバー（67）は、対応する室外機（11）の電気配線を保護するためのカバー部材である。配線カバー（67）は、本体フレーム（63）の長手方向の両側面に沿って取り付けられている。
【００５１】
上記第２底フレーム（62）は、図１３に示すように、本体フレーム（63）と、ポンプ台（71）と、分割板（65）と、熱交取付板（69）と、封鎖板（70）と、３つの支柱取付金具（66）とを備えている。尚、本体フレーム（63）の構成は、上記第１底フレーム（61）の本体フレーム（63）と同様である。
【００５２】
上記ポンプ台（71）は、ポンプ部材（図示なし）を置くための台である。ポンプ台（71）は、第２底フレーム（62）の本体フレーム（63）の長手方向の一端面に設けられている。
【００５３】
上記封鎖板（70）および熱交取付板（69）は、略長方形状の板部材に形成されている。封鎖板（70）と熱交取付板（69）は、それぞれが一の溝部（64）を覆うように本体フレーム（63）に取り付けられている。熱交取付板（69）には、後述する水熱交換器（51）が載せられる。封鎖板（70）および熱交取付板（69）が溝部（64）を塞ぐことで、外部の空気が第１および第２熱交換器本体（35,36）を通過することなく、底部材（60）を通過してケーシング（12）内に取り込まれるのを防止している。
【００５４】
上記分割板（65）は、略長方形状の板部材に形成され、第２底フレーム（62）の本体フレーム（63）の一端側に設けられている。分割板（65）は、本体フレーム（63）の幅方向の略中央から外方に向かって延びるように配置されている。
【００５５】
図１１に示すように、第１底フレーム（61）と第２底フレーム（62）を連結することで、底部材（60）が形成される。第１底フレーム（61）と第２底フレーム（62）とを連結すると、両底フレーム（61,62）の分割板（65,65）によって、ケーシング（12）の底面が隙間無く形成される。また、両底フレーム（61,62）の本体フレーム（63）を共通部材としたため、第１底フレーム（61）と第２底フレーム（62）とを別々に組み立てることができる。また、製造用として予備する本体フレーム（63）の在庫を削減することができる。
【００５６】
上記ケーシング（12）の本体部（20）は、上側方向からの平面視において略六角形になるように形成されている。このケーシング（12）の本体部（20）の六角形の頂点をなす部分には、ケーシング（12）の長辺に設けられる２本の長辺支柱（21）と、ケーシング（12）の短辺に設けられる４本の短辺支柱（22）とがそれぞれ上下方向に延びて立設している。上記ケーシング（12）の本体部（20）は、長辺支柱（21）および短辺支柱（22）によってケーシング（12）の長手方向に沿った側面に４面の開口部（27,28）を形成している。この開口部（27,28）は、底部材（60）からファンケーシング（13）まで延びて形成されている。また、ケーシング（12）の本体部（20）は、２本の長辺支柱（21,21）を跨るように仕切板（26）が形成されている。この仕切板（26）は、本体部（20）の内部を２つの部屋に仕切るための部材であって、底部材（60）からファンケーシング（13）までに亘って上下方向に延びて立設している。
【００５７】
上記ケーシング（12）の本体部（20）には、補強材（25）が設けられている。この補強材（25）は、断面が略凹状の棒体に形成され、各支柱（21,22）の中位よりもやや下方となる高さで長辺支柱（21）と短辺支柱（22）との間に跨るように配置されている。上記開口部（27,28）は、補強材（25）によって上側開口部（27）と下側開口部（28）とに区画されている。各補強材（25）は、各空気熱交換器（37,37,38,38）に沿って設けられ、一の補強材（25）に一の空気熱交換器（37,37,38,38）が載せられている。こうすることで、補強材（25）は、各空気熱交換器（37,37,38,38）を下方から支持すると共に、この空気熱交換器（37,37,38,38）から発生したドレン水を貯留するように構成されている。すなわち、各補強材（25）は、各空気熱交換器（37,37,38,38）を支持する支持部材として機能すると共に、ドレンパンとしても機能する部材である。尚、補強材（25）は本発明に係る補強部材を構成している。
【００５８】
上側開口部（27）には、長辺支柱（21）と短辺支柱（22）との間に各空気熱交換器（37,37,38,38）が形成され、下側開口部（28）には、ケーシング（12）の長手方向の両短辺支柱（22,22）の間に直線状に延びる機械室カバー（32）が形成されている。つまり、開口部（27,28）は、上方に平面視で外側に拡がるように配置される空気熱交換器（37,37,38,38）が形成される一方、下方に平面視で直線状に延びる機械室カバー（32）が形成されている。そして、機械室カバー（32）は、第１および第２熱交換器本体（35,36）の側面よりも内側に配置され、機械室カバー（32）の内側は、機械室（29）が形成されている。また、各長辺支柱（21）と機械室カバー（32）との間には中央通路（45）が形成されている。
【００５９】
また、上記ケーシング（12）の短辺側は正面部と背面部とを構成している。ケーシング（12）の短辺側の正面部は正面壁（23）に構成されている。正面壁（23）には、ケーシング（12）内の圧縮機（50）等の機器類をメンテナンスするための正面開口が形成され、正面開口には、正面扉（23a）が設けられている。また、ケーシング（12）の短辺側の背面部は背面壁（24）に構成されている。背面壁（24）には、ケーシング（12）内の電装品箱（53）等の機器類をメンテナンスするための背面開口が形成され、背面開口には、背面扉（24a）が設けられている。
【００６０】
上記空気熱交換器（37,37,38,38）は、４つの空気熱交換器（37,37,38,38）によって構成されている。該各空気熱交換器（37,37,38,38）は、ケーシング（12）の両側面に形成される上記４つの上側開口部（27,27,27,27）のそれぞれに嵌め込まれている。つまり、上記各空気熱交換器（37,37,38,38）はケーシング（12）の外壁を構成している。
【００６１】
上記各空気熱交換器（37,37,38,38）は、平板状に形成され、平面視において、直線状に延びる空気熱交換器で構成されている。４枚の空気熱交換器（37,37,38,38）は、ケーシング（12）の本体部（20）の長手方向の側面部につき２枚ずつ配設されている。具体的に、各空気熱交換器（37,37,38,38）は、ケーシング（12）の補強材（25）と、ファンケーシング（13）と、短辺支柱（22）と、長辺支柱（21）とで囲まれる上側開口部（27）に形成されている。そして、各空気熱交換器（37,37,38,38）がそれぞれ熱交換部を構成している。
【００６２】
上記４枚の空気熱交換器（37,37,38,38）のうち、ケーシング（12）の本体部（20）の長辺の一側面部に配置される２つの空気熱交換器（37,38）が１つの第１熱交換器本体（35）を構成し、ケーシング（12）の本体部（20）の長辺の他側面部に配置される２つの空気熱交換器（37,38）が１つの第２熱交換器本体（36）を構成している。具体的に、上記第１熱交換器本体（35）は、図２において、ケーシング（12）の本体部（20）の手前側の側面部に配置され、上記第２熱交換器本体（36）は、ケーシング（12）の本体部（20）の奥側の側面部に配置されている。
【００６３】
第１熱交換器本体（35）は、ケーシング（12）の長手方向の一端側に配置される第１空気熱交換器（37）と、他端側に配置される第２空気熱交換器（38）とにより構成されている。また、上記第２熱交換器本体（36）は、同じくケーシング（12）の長手方向の一端側に配置される第１空気熱交換器（37）と、他端側に配置される第２空気熱交換器（38）とにより構成されている。そして、第１空気熱交換器（37）と第２空気熱交換器（38）とは互いに独立して構成されている。
【００６４】
上記第１熱交換器本体（35）の第１空気熱交換器（37）と第２熱交換器本体（36）の第１空気熱交換器（37）とは、延長線上の交点が平面視で観て鋭角をなすように配設されている。そして、上記鋭角をなす第１空気熱交換器（37,37）の外端部は、所定の間隔を存して配設されている。つまり、鋭角をなす２つの第１空気熱交換器（37,37）の外端部（37a,37a）の間に上述した正面壁（23）が形成され、その正面壁（23）にメンテナンス用の補助開口が形成されている。
【００６５】
上記第１熱交換器本体（35）の第２空気熱交換器（38）と上記第２熱交換器本体（36）の第２空気熱交換器（38）とは、延長線上の交点が平面視で観て鋭角をなすように配設されている。そして、上記鋭角をなす第２空気熱交換器（38,38）の外端部は、所定の間隔を存して配設されている。つまり、上記鋭角をなす２つの第２空気熱交換器（38,38）の外端部（38a,38a）の間に上述した背面壁（24）が形成され、その背面壁（24）にメンテナンス用の補助開口が形成されている。
【００６６】
上記第１熱交換器本体（35）の第１空気熱交換器（37）と第２空気熱交換器（38）とは、平面視において、上記第１熱交換器本体（35）の中央部がケーシング（12）の外側に位置する鈍角の頂部（39）を形成するように配置されている。この頂部（39）の形成位置には、ケーシング（12）の本体部（20）の一側面側の長辺支柱（21）が上下方向に立設されている。また、上記第２熱交換器本体（36）の第１空気熱交換器（37）と第２空気熱交換器（38）とは、平面視において上記第２熱交換器本体（36）の中央部がケーシング（12）の外側に位置する鈍角の頂部（39）を形成するように配置されている。この頂部（39）の形成位置には、ケーシング（12）の本体部（20）の他側面側の長辺支柱（21）が上下方向に立設されている。
【００６７】
そして、上記第１熱交換器本体（35）において、頂部（39）を形成する第１空気熱交換器（37）の内端部（37b）と第２空気熱交換器（38）の内端部（38b）とは、互いに近接するように配設されている。また、第２熱交換器本体（36）において、頂部（39）を形成する第１空気熱交換器（37）の内端部（37b）と第２空気熱交換器（38）の内端部（38b）とは、互いに近接するように配設されている。
【００６８】
つまり、第１空気熱交換器（37）の内端部（37b）と第２空気熱交換器（38）の内端部（38b）とは、平面視において、略六角形に形成された外壁の頂部（39）の一つを形成している。また、上記送風ファン（17）は、ケーシング（12）の上側方向から観た平面視において第１熱交換器本体（35）と第２熱交換器本体（36）とに囲まれた領域に設けられている。尚、第１空気熱交換器（37）は本発明に係る第１熱交換部を構成し、第２空気熱交換器（38）は本発明に係る第２熱交換部を構成している。
【００６９】
上記正面扉（23a）は、取り外し可能な板金に形成されている。正面扉（23a）は、ケーシング（12）の短辺側の正面壁（23）に設けられたメンテナンス用の正面開口に、ケーシング（12）の底部材（60）からファンケーシング（13）に亘って複数設けられている。したがって、作業者は、正面扉（23a）を外してケーシング（12）内の電装品箱等をメンテナンスすることができる。
【００７０】
上記背面扉（24a）は、取り外し可能な板金に形成されている。背面扉（24a）は、ケーシング（12）の短辺側の背面壁（24）に設けられたメンテナンス用の背面開口に設けられている。したがって、作業者は、背面扉（24a）を外してケーシング（12）内の電装品箱（53）などをメンテナンスすることができる。
【００７１】
上記機械室（29）は、第１機械室（30）と第２機械室（31）とで構成され、機械室カバー（32）は、第１カバー（33）と第２カバー（34）とで構成されている。
【００７２】
上記第１機械室（30）は、第１熱交換器本体（35）の第１空気熱交換器（37）および第２熱交換器本体（36）の第１空気熱交換器（37）の下方に形成されている。第１機械室（30）には、正面壁（23）を構成する２本の短辺支柱（22,22）からそれぞれケーシング（12）の長手方向に沿って延びる２枚の第１カバー（33,33）が立設されている。上記第１機械室（30）には、図１０に示すように、内部に冷媒を圧縮する６台の圧縮機（50）が圧縮機取付板（68）上に配置されている。そして、２枚の第１カバー（33）は、それぞれが第１凹部（43）を形成している。
【００７３】
上記第２機械室（31）は、第１熱交換器本体（35）の第２空気熱交換器（38）および第２熱交換器本体（36）の第２空気熱交換器（38）の下方に形成されている。第２機械室（31）には、背面壁（24）を構成する２本の短辺支柱（22,22）からそれぞれケーシング（12）の長手方向に沿って延びる第２カバー（34,34）が立設されている。第２機械室（31）には、図１０に示すように、温調対象となる空調用水を温調する１台の水熱交換器（51）、２台の膨張機及び電装品箱（53）などが熱交取付板（69）や封鎖板（70）上に設けられている。水熱交換器（51）は、一台で２つの冷媒回路に対して接続されている。そして、２枚の第２カバー（34,34）は、それぞれが第２凹部（44）を形成している。
【００７４】
上記４つの凹部（43,43,44,44）のうち、ケーシング（12）の長辺の一側面部に配置される２つの凹部（43,44）が１つの第１本体凹部（41）を構成し、ケーシング（12）の長辺の他側面部に配置される２つの凹部（43,44）が１つの第２本体凹部（42）を構成している。具体的に、第１本体凹部（41）は、ケーシング（12）の第１熱交換器本体（35）の下方において、該第１熱交換器本体（35）の側面よりも内側に凹んで配置される第１カバー（33）および第２カバー（34）で形成されている。また、第２本体凹部（42）は、ケーシング（12）の第２熱交換器本体（36）の下方において、該第２熱交換器本体（36）の側面よりも内側に凹んで配置される第１カバー（33）および第２カバー（34）で形成されている。
【００７５】
第１本体凹部（41）は、ケーシング（12）の長手方向の一端側に配置される第１凹部（43）と、他端側に配置される第２凹部（44）とにより構成されている。また、上記第２本体凹部（42）は、同じくケーシング（12）の長手方向の一端側に配置される第１凹部（43）と、他端側に配置される第２凹部（44）とにより構成されている。
【００７６】
ケーシング（12）の一側面部の第１凹部（43）は、第１熱交換器本体（35）の第１空気熱交換器（37）の下方において、該第１空気熱交換器（37）よりも内側に配置される第１カバー（33）によって形成されている。また、ケーシング（12）の他側面部の第１凹部（43）は、第２熱交換器本体（36）の第１空気熱交換器（37）の下方において、該第１空気熱交換器（37）よりも内側に配置される第１カバー（33）によって形成されている。各第１凹部（43,43）は、空気が流れる空間を形成している。
【００７７】
ケーシング（12）の一側面部の第２凹部（44）は、第１熱交換器本体（35）の第２空気熱交換器（38）の下方において、該第２空気熱交換器（38）よりも内側に配置される第２カバー（34）によって形成されている。ケーシング（12）の他側面部の第２凹部（44）は、第２熱交換器本体（36）の第２空気熱交換器（38）の下方において、該第２空気熱交換器（38）よりも内側に配置される第２カバー（34）によって形成されている。各第２凹部（44,44）は、空気が流れる空間を形成している。
【００７８】
尚、第１凹部（43）によって形成される空間と第２凹部（44）によって形成される空間とは、後述する中央通路（45）によって連通している。
【００７９】
圧縮機（50）、水熱交換器（51）、四路切換弁（図示なし）、膨張機及び上記各空気熱交換器（37,37,38,38）は、蒸気圧縮式の冷媒回路を構成している。この冷媒回路は、第１冷媒回路と第２冷媒回路を備え、それぞれ独立して運転することができるように構成されている。つまり、各冷媒回路は、それぞれ四路切換弁（図示なし）を切り換えることで冷媒を可逆に循環させて空調用水を冷却又は加熱することができる。
【００８０】
上記第１冷媒回路は、３台の圧縮機（50）、水熱交換器（51）、四路切換弁（図示なし）、膨張機および２つの第１空気熱交換器（37,37）を備えている。第２冷媒回路は、３台の圧縮機（50）、水熱交換器（51）、四路切換弁（図示なし）、膨張機および２つの第２空気熱交換器（38,38）を備えている。つまり、本実施形態に係るチラー装置（10）では、第１冷媒回路と第２冷媒回路を別々に動作させることで、２つの第１空気熱交換器（37,37）と、２つの第２空気熱交換器（38,38）とがそれぞれ独立して動作可能になっている。
【００８１】
尚、機械室（29）の内部に設けられるのは、圧縮機（50）、水熱交換器（51）、膨張機及び電装品箱（53）に限られない。また、電装品箱（53）には、チラー装置（10）の運転を制御するためのインバータ回路の電気基板や配線等が収容されている。
【００８２】
上記中央通路（45）は、機械室カバー（32）で構成されるケーシング（12）の外壁と長辺支柱（21）との間に形成される空気通路であって、本発明に係る空気連通部を構成している。この中央通路（45）は、第１凹部（43）によって形成される空間と第２凹部（44）によって形成される空間とを連通させ、両空間の空気を互いに行き来させることができる。中央通路（45）は、第１凹部（43）を流れる空気を第２凹部（44）によって形成される空間に供給する一方、第２凹部（44）を流れる空気を第１凹部（43）によって形成される空間に供給することができる。
【００８３】
−一台の室外機における空気の流れ−
次に、一台のヒートポンプチラーの室外機（11）の空気の流れについて説明する。図１４および図１５に示すように、室外機（11）の外部（周辺）の空気は、ケーシング（12）の外部に露出した第１熱交換器本体（35）および第２熱交換器本体（36）の外側から流れて第１空気熱交換器（37）および第２空気熱交換器（38）を通過してケーシング（12）内に取り込まれる（図１４および図１５の矢印を参照）。
【００８４】
また、ケーシング（12）の外部の空気のうち、第１凹部（43）を流れる空気は、そこから上方に流れ、下側から第１空気熱交換器（37）の外側に導かれる。その後、各熱交換器本体（35,36）の第１空気熱交換器（37,37）を通過する際、冷媒と熱交換してケーシング（12）の内部に取り込まれる。尚、第１凹部（43）を流れる空気の一部は、中央通路（45）を通過して第２凹部（44）へ供給される。
【００８５】
また、ケーシング（12）の外部の空気のうち、第２凹部（44）を流れる空気は、そこから上方に流れ、下側から第２空気熱交換器（38）の外側に導かれる。その後、各熱交換器本体（35,36）の第２空気熱交換器（38,38）を通過する際、冷媒と熱交換してケーシング（12）の内部に取り込まれる。尚、第２凹部（44）を流れる空気の一部は、中央通路（45）を通過して第１凹部（43）によって形成される空間へ供給される。
【００８６】
上述したように、第１凹部（43）によって形成される空間と第２凹部（44）によって形成される空間とは、中央通路（45）を介して互いに連通しているため、両空間を流れる空気は、互いに行き来することができる。このため、中央通路（45）を流れる空気の流量が増加する。
【００８７】
−運転動作−
次に、本実施形態の運転動作について説明する。
【００８８】
まず、チラー装置（10）は、送風ファン（17）を運転すると、ケーシング（12）の外部の空気を第１熱交換器本体（35）及び第２熱交換器本体（36）からケーシング（12）内に取り込む。図１６および図１７に示すように、３台のヒートポンプチラーの室外機（11）を幅方向に並べて設置した場合、ケーシング（12）の外部の空気は、主にケーシング（12）の長手方向の両端部に形成された隙間から第１熱交換器本体（35）および第２熱交換器本体（36）の外側を流れて第１空気熱交換器（37）および第２空気熱交換器（38）からケーシング（12）内に取り込まれる。
【００８９】
また、ケーシング（12）の外部の空気は、ケーシング（12）の長手方向の一端部の隙間から第１凹部（43,43）へ流入する。第１凹部（43）を流れる空気は、上方に流れて第１空気熱交換器（37）の外側に導かれ、第１空気熱交換器（37）を通過してケーシング（12）の内部に流れ込む。そして、この空気は第１空気熱交換器（37）を通過する際に熱交換される。第１凹部（43）を流れる空気の一部は、中央通路（45）を通過して第２凹部（44）側へ流れる。
【００９０】
また、ケーシング（12）の外部の空気は、ケーシング（12）の長手方向の他端部の隙間から第２凹部（44,44）へ流入する。第２凹部（44）を流れる空気は、上方に流れて第２空気熱交換器（38）の外側に導かれ、第２空気熱交換器（38）を通過して、ケーシング（12）の内部に流れ込む。そして、この空気は第２空気熱交換器（38,38）を通過する際に熱交換される。第２凹部（44）を流れる空気の一部は、中央通路（45）を通過して第１凹部（43）側へ流れる。
【００９１】
上述したように、第１凹部（43）によって形成される空間と第２凹部（44）によって形成される空間とは、中央通路（45）を介して互いに連通しているため、両空間を流れる空気は、互いに行き来することができる。このため、中央通路（45）を流れる空気の流量が増加する。
【００９２】
そして、各空気熱交換器（37,37,38,38）を通過してケーシング（12）内に取り込まれた空気は、上方の送風ファン（17）によって吹出口（14）を通過してケーシング（12）の上方に吹き出される。
【００９３】
次に、水熱交換器（51）における空調用水を冷却用として使用する場合の冷媒回路の動作について説明する。
【００９４】
まず、第１冷媒回路では、圧縮機（50）の運転を開始し、該圧縮機（50）で冷媒を圧縮する。上記圧縮機（50）から吐出された圧縮冷媒は、第１空気熱交換器（37,37）に流入する。第１熱交換器本体（35）及び第２熱交換器本体（36）では、ケーシング（12）の外部空気が各熱交換器本体（35,36）を構成する第１空気熱交換器（37,37）を通過する際に、冷媒の熱を空気に放熱してケーシング（12）内に取り込まれた空気を加熱する。そして、空気に放熱して冷却された冷媒は、膨張弁で膨張した後、水熱交換器（51）に流入する。該水熱交換器（51）では、冷媒が水熱交換器（51）内を流れる空調用水から吸熱して空調用水が冷却される。冷却された空調用水は、建物内へ供給される。水熱交換器（51）を流出した冷媒は、再び圧縮機（50）に吸入されて圧縮される。
【００９５】
第２冷媒回路では、圧縮機（50）の運転を開始し、該圧縮機（50）で冷媒を圧縮する。上記圧縮機（50）から吐出された圧縮冷媒は、第２空気熱交換器（38,38）に流入する。第１熱交換器本体（35）及び第２熱交換器本体（36）では、ケーシング（12）の外部空気が各熱交換器本体（35,36）を構成する第２空気熱交換器（38,38）を通過する際に、冷媒の熱を空気に放熱してケーシング（12）内に取り込まれた空気を加熱する。そして、空気に放熱して冷却された冷媒は、膨張弁で膨張した後、水熱交換器（51）に流入する。該水熱交換器（51）では、冷媒が水熱交換器（51）内を流れる空調用水から吸熱して空調用水が冷却される。冷却された空調用水は、建物内へ供給される。水熱交換器（51）を流出した冷媒は、再び圧縮機（50）に吸入されて圧縮される。
【００９６】
また、上記水熱交換器（51）における空調用水を暖房用として使用する場合の冷媒回路の動作について説明する。
【００９７】
上記第１冷媒回路では、圧縮機（50）の運転を開始し、該圧縮機（50）で冷媒を圧縮する。上記圧縮機（50）から吐出された圧縮冷媒は、水熱交換器（51）に流入する。水熱交換器（51）では、冷媒が水熱交換器（51）内を流れる空調用水へ放熱して空調用水が加熱される。加熱された空調用水は、建物内へ供給される。水熱交換器（51）を流出した冷媒は、膨張弁で膨張した後、第１空気熱交換器（37,37）に流入する。第１熱交換器本体（35）及び第２熱交換器本体（36）では、ケーシング（12）の外部空気が各熱交換器本体（35,36）を構成する第１空気熱交換器（37,37）を通過する際に、冷媒が空気から吸熱してケーシング（12）内に取り込まれた空気を冷却する。上記第１空気熱交換器（37,37）を流出した冷媒は、再び圧縮機（50）に吸入されて圧縮される。
【００９８】
上記第２冷媒回路では、圧縮機（50）の運転を開始し、該圧縮機（50）で冷媒を圧縮する。上記圧縮機（50）から吐出された圧縮冷媒は、水熱交換器（51）に流入する。水熱交換器（51）では、冷媒が水熱交換器（51）内を流れる空調用水へ放熱して空調用水が加熱される。加熱された空調用水は、建物内へ供給される。水熱交換器（51）を流出した冷媒は、膨張弁で膨張した後、第２空気熱交換器（38,38）に流入する。第１熱交換器本体（35）及び第２熱交換器本体（36）では、ケーシング（12）の外部空気が各熱交換器本体（35,36）を構成する第２空気熱交換器（38,38）を通過する際に、冷媒が空気から吸熱してケーシング（12）内に取り込まれた空気を冷却する。上記第２空気熱交換器（38,38）を流出した冷媒は、再び圧縮機（50）に吸入されて圧縮される。
【００９９】
次に、作業者によるチラー装置（10）のメンテナンスについて説明する。
【０１００】
作業者がメンテナンス作業を行う際は、チラー装置（10）を停止し、機械室カバー（32）を取り外して下側開口部（28）から第１機械室（30）および第２機械室（31）の圧縮機（50）等のメンテナンスを行う。また、正面扉（23a）又は背面扉（24a）を外して、室外機（11）のケーシング（12）の正面側又は背面側から電装品箱（53）等のメンテナンスを行うこともできる。
【０１０１】
−一系統運転−
本実施形態に係る室外機（11）は、図１８に示すように、負荷に応じて一系統のみで運転することができる。具体的には、第１冷媒回路のみによって運転を行うことができる。一系統のみで運転する場合は、第２冷媒回路に対応する送風ファン（17,17）が停止する。
【０１０２】
まず、ケーシング（12）の外部の空気は、主にケーシング（12）の長手方向の一端部に形成された隙間から第１熱交換器本体（35）および第２熱交換器本体（36）の外側を流れて第１空気熱交換器（37,37）からケーシング（12）内に取り込まれる。
【０１０３】
また、ケーシング（12）の外部の空気は、ケーシング（12）の長手方向の一端部の隙間から第１凹部（43,43）へ流入する。第１凹部（43）の空間を流れる空気は、上方に流れて第１空気熱交換器（37）の外側に導かれ、第１空気熱交換器（37）を通過してケーシング（12）の内部に流れ込む。そして、この空気は第１空気熱交換器（37）を通過する際に熱交換される。
【０１０４】
また、ケーシング（12）の外部の空気は、ケーシング（12）の長手方向の他端部の隙間から第２凹部（44,44）へ流入する。上述したように、第１凹部（43）によって形成される空間と第２凹部（44）によって形成される空間とは、中央通路（45）を介して互いに連通している。このため、第２凹部（44）の空間を流れる空気は、中央通路（45）を通過して第１凹部（43）側へ供給される。したがって、第１凹部（43）を流れる空気が増加する。
【０１０５】
そして、第１空気熱交換器（37,37）を通過してケーシング（12）内に取り込まれた空気は、上方の送風ファン（17）によって吹出口（14）を通過してケーシング（12）の上方に吹き出される。
【０１０６】
−実施形態の効果−
上記実施形態によれば、第１本体凹部（41）および第２本体凹部（42）を設けたため、第１および第２熱交換器本体（35,36）の外側を流れる空気に加え、空気を下方から第１熱交換器本体（35）および第２熱交換器本体（36）の外側に導くことができる。このため、第１空気熱交換器（37）および第２空気熱交換器（38）を通過する空気の流量を増加させることができる（図２０参照）。これにより、第１空気熱交換器（37）および第２空気熱交換器（38）の熱交換効率を向上させることができる。この結果、平面視で略六角形状に配置される空気熱交換器（37,37,38,38）を有する室外機（11）において、熱交換効率を向上させることができる。
【０１０７】
また、中央通路（45）を設けて第１凹部（43）によって形成される空間と第２凹部（44）によって形成される空間とを連通させるようにしたため、第１凹部（43）の空間を流れる空気を第２凹部（44）側へ供給する一方、第２凹部（44）の空間を流れる空気を第１凹部（43）側へ供給することができる。これにより、第１凹部（43）および第２凹部（44）の両空間の空気の流量を増加させることができる。つまり、従来の第１熱交換器本体および第２熱交換器本体の下方は送風ファンから遠くなるため空気の流れが悪くなる（図１９参照）。ところが、本実施形態では、中央通路（45）によって第１凹部（43）および第２凹部（44）の両空間を流れる空気流量を増加させることができるため、第１熱交換器本体（35）および第２熱交換器本体（36）の下方の空気流量を増加させることができる（図２０参照）。これにより、第１空気熱交換器（37）および第２空気熱交換器（38）の熱交換効率を向上させることができる。この結果、平面視で略六角形状に配置される空気熱交換器（37,37,38,38）を有する室外機（11）において、熱交換効率を向上させることができる。
【０１０８】
また、第１本体凹部（41）と第２本体凹部（42）の内側に機械室（29）を設けたため、第１本体凹部（41）および第２本体凹部（42）から機械室（29）内の構成機器をメンテナンスすることができる。
【０１０９】
さらにドレン水が流れるように構成された補強部材（25）を第１熱交換器本体（35）又は第２熱交換器本体（36）に沿って設けると共に、下方から該第１熱交換器本体（35）又は第２熱交換器本体（36）を支持するようにしたため、第１熱交換器本体（35）又は第２熱交換器本体（36）を補強することができると同時に第１熱交換器本体（35）又は第２熱交換器本体（36）から発生するドレン水を補強部材（25）に流すことができる。
【０１１０】
最後に、第１空気熱交換器（37）と第２空気熱交換器（38）とがそれぞれに独立して動作するようにしたため、第１空気熱交換器（37）のみが動作する場合は、第２凹部（44）から第１凹部（43）側へ供給される空気を第１空気熱交換器（37）へ導くことができる。このため、動作する第１空気熱交換器（37）を流れる空気の流量を増加させることができる。また、第２空気熱交換器（38）のみが動作する場合は、第１凹部（43）から第２凹部（44）側へ供給される空気を第２空気熱交換器（38）へ導くことができる。このため、動作する第２空気熱交換器（38）を流れる空気の流量を増加させることができる。
【０１１１】
−実施形態の変形例−
次に、本実施形態の変形例について説明する。本変形例に係るチラー装置（10）は、上記実施形態に係るチラー装置（10）とは、底部材（60）の構成が異なっている。尚、本変形例では、上記実施形態と異なる部分についてのみ説明する。
【０１１２】
具体的に、本変形例では、図２１に示すように、第２底フレーム（62）の本体フレーム（63）には、水熱交換器（51）の水配管の出口管を配置するための置台（72）が設けられる一方、ポンプ台が設けられていないものである。その他の構成、作用・効果は実施形態と同様である。
【０１１３】
〈その他の実施形態〉
本発明は、上記実施形態について、以下のような構成としてもよい。
【０１１４】
上記実施形態に係る室外機（11）は複数台を連結設置してもよいし、一台の室外機（11）を壁際に設置するなどしてもよい。
【０１１５】
上記実施形態では、機械室カバー（32）を設けて本体凹部（41,42）を形成して機械室（29）を形成していたが、本発明はそれに限定されるものではない。具体的には、機械室カバー（32）を設けることなく、空気通路に６台の圧縮機（50）、水熱交換器（51）、膨張機及び電装品箱（53）などを配置するようにしてもよい。つまり、本形態では、空気通路に室外機（11）の構成機器である６台の圧縮機（50）、水熱交換器（51）、膨張機及び電装品箱（53）などを配置している。
【０１１６】
尚、以上の実施形態は、本質的に好ましい例示であって、本発明、その適用物、あるいはその用途の範囲を制限することを意図するものではない。
【産業上の利用可能性】
【０１１７】
以上説明したように、本発明は、熱交換器を有する冷凍装置について有用である。
【符号の説明】
【０１１８】
１０            チラー装置
１１            室外機
１２            ケーシング
１７            送風ファン
２５            補強材（補強部材）
２９            機械室
３５            第１熱交換器本体
３６            第２熱交換器本体
３７            第１空気熱交換器（第１熱交換部）
３８            第２空気熱交換器（第２熱交換部）
３９            頂部
４１            第１本体凹部
４２            第２本体凹部
４３            第１凹部
４４            第２凹部
１              中央通路（空気連通部）
【図１】
0005310887.tif 000002
【図２】
0005310887.tif 000003
【図３】
0005310887.tif 000004
【図４】
0005310887.tif 000005
【図５】
0005310887.tif 000006
【図６】
0005310887.tif 000007
【図７】
0005310887.tif 000008
【図８】
0005310887.tif 000009
【図９】
0005310887.tif 000010
【図１０】
0005310887.tif 000011
【図１１】
0005310887.tif 000012
【図１２】
0005310887.tif 000013
【図１３】
0005310887.tif 000014
【図１４】
0005310887.tif 000015
【図１５】
0005310887.tif 000016
【図１６】
0005310887.tif 000017
【図１７】
0005310887.tif 000018
【図１８】
0005310887.tif 000019
【図１９】
0005310887.tif 000020
【図２０】
0005310887.tif 000021
【図２１】
0005310887.tif 000022